(57)【特許請求の範囲】
【請求項１】
浴槽自動洗浄機能と浴槽自動お湯張り機能とを有し、浴槽自動お湯張りを指示するお湯張りスイッチと浴槽自動洗浄を指示する洗浄スイッチとを有するリモートコントローラと、前記リモートコントローラからの信号を入力して前記信号内容を認識するリモコン入力認識部と制御部とを有する給湯器本体とを備えた給湯器であって、
前記制御部は、待機時間を固定的に設定すると共に前記浴槽自動お湯張りの指示後の経過時間である指示後経過時間を計測するタイマ制御手段と、前記リモートコントローラからの指示の内容を判定すると共に前記指示後経過時間が前記待機時間を越えているか否かを前記タイマ制御手段の計測結果に基づいて判定するリモコン入力判定手段と、前記指示後経過時間が前記待機時間内でかつ前記リモートコントローラからの指示の内容に浴槽自動洗浄が含まれていたと前記リモコン入力判定手段が判定した場合には前記リモコン入力判定手段からの指示に基づいて洗浄処理を行う洗浄制御手段と、前記指示後経過時間が前記待機時間を越えたと前記リモコン入力判定手段が判定した場合または前記リモートコントローラから前記浴槽自動お湯張りの指示があったと前記洗浄処理後に前記リモコン入力判定手段が判定した場合には前記リモコン入力判定手段からの指示に基づいてお湯張り処理を行うお湯張り制御手段とを有することを特徴とする給湯器。
【請求項２】
浴槽自動洗浄機能と浴槽自動お湯張り機能とを有し、浴槽自動洗浄指示と浴槽自動お湯張り指示とを行うリモートコントローラを備えた給湯器における浴槽お湯張り洗浄方法であって、待機時間を固定的に設定する初期化ステップと、前記リモートコントローラからの指示の内容が浴槽自動お湯張り指示か浴槽自動洗浄指示かを判定するリモコン入力判定ステップと、前記リモコン入力判定ステップにおいて前記リモートコントローラから浴槽自動お湯張りの指示があったと判定した場合に前記浴槽自動お湯張り指示からの経過時間である指示後経過時間を計測する計測ステップと、前記指示後経過時間が前記待機時間を越えているか否かを判定すると共に前記指示後経過時間が前記待機時間内である場合に前記浴槽自動洗浄指示があったか否かを判定する第１の判定ステップと、前記判定ステップで前記指示後経過時間が前記待機時間を越えず且つ前記浴槽自動洗浄指示があったと判定したときは洗浄処理を行う洗浄制御ステップと、前記洗浄処理後に前記リモートコントローラから前記浴槽自動お湯張りの指示があったか否かを判定する第２の判定ステップと、前記第１の判定ステップで前記指示後経過時間が前記待機時間を越えていると判定したとき又は前記第２の判定ステップで前記リモートコントローラから前記浴槽自動お湯張りの指示があったと前記洗浄処理後に判定したときはお湯張り処理を行うお湯張り制御ステップとを有することを特徴とする浴槽お湯張り洗浄方法。
【発明の詳細な説明】
【０００１】
【発明の属する技術分野】
本発明は、浴槽自動洗浄機能と浴槽自動お湯張り機能とを有する給湯器およびその給湯器における浴槽お湯張り洗浄方法に関する。
【０００２】
【従来の技術】
図４は従来の風呂システムを示す構成図である。風呂システムは一般的に、図４に示すように、給湯器本体１と浴槽２とリモートコントローラ３とから成る。また、給湯器本体１とリモートコントローラ３とは給湯器を構成する。
図４において、１ａはリモートコントローラから入力される運転指示、浴槽自動お湯張り指示、浴槽自動洗浄指示等の指示を入力して指示内容を認識するリモコン入力認識部、４Ａは給湯器本体１全体を制御する従来の制御部、５は一端が浴槽２に接続され他端が後述の循環ポンプ６に接続された循環吸水管、５ａは上流側端部が循環ポンプ６のケーシングの底部やケーシングに形成されたドレン栓に接続された水抜き管、５ｂは循環給水管５に接続された吐出圧調整管、６は吸込側が循環吸水管５に接続された循環ポンプ、７はポート７ａが水抜き管５ａに接続されポート７ｂが吐出圧調整管５ｂに接続されポート７ｃが排水管８に接続され、閉止機能を持った排水弁、９は循環ポンプ６の吐出側に接続された熱交送水管、１０は熱交換器、１１は熱交換器１０を加熱するバーナ、１２は熱交換器１０の出湯口に接続された出湯管、１３は下流側端部が後述の洗浄ノズル２３に接続された洗浄出水管、１４は一端が出湯管１２に接続された追焚用出水管、１５はポート１５ａが出湯管１２に接続されポート１５ｂが追焚用出水管１４に接続されポート１５ｃが洗浄出水管１３に接続され、閉止機能を持った三方弁、１６は給水装置や水道に接続されお湯張り用の水を供給する給水管、１７は一端が給水管１６に連通し熱交換器１０内を通る加熱管、１８は上流側端部が後述の逆止弁２０に接続された浴槽側給水管、１９は上流側端部が加熱管１７に接続されお湯張り時に開となるお湯張り電磁弁、２０は上流側端部がお湯張り電磁弁１９に接続され下流側端部が浴槽側給水管１８に接続された逆止弁、２１は加熱管１７に連通する蛇口、２２は浴槽２に連通する追焚用出水管１４に接続され追い焚き時に出湯するための追い焚き出湯口、２３は洗浄出水管１３に接続され浴槽２の洗浄時の水噴射のための洗浄ノズル、２４は浴槽２の底部付近の側壁に配設された循環吸水部、２５は循環吸水部２４に接続され浴槽底面に向かって開口された吸引管である。
【０００３】
以上のように構成された従来の給湯器における浴槽自動お湯張り動作および浴槽自動洗浄動作を説明する。
図４において、リモートコントローラ３から浴槽自動お湯張りを指示した場合、制御部４Ａはその指示をリモコン入力認識部１ａを介して受け取り、浴槽自動お湯張り動作を開始する。また、リモートコントローラ３から浴槽自動洗浄を指示した場合、制御部４Ａはその指示をリモコン入力認識部１ａを介して受け取り、浴槽自動洗浄動作を開始する。
まず浴槽自動お湯張り動作について説明する。浴槽自動お湯張り動作においては、排水弁７は「閉」、三方弁１５はポート１５ａと１５ｂが連通状態、お湯張り電磁弁１９は「開」、循環ポンプ６は動作状態となっている。この状態において、給水管１６からの水道水は熱交換器１０で熱交換され、加熱管１７へ出湯され、加熱管１７のお湯は、お湯張り電磁弁１９、逆止弁２０、浴槽側給水管１８を介して循環ポンプ６の吸込側に供給される。循環ポンプ６から吐出されたお湯は、熱交送水管９、熱交換器１０、出湯管１２、三方弁１５、追焚用出水管１４を介して追い焚き出湯口２２から出湯される。追い焚き出湯口２２の出湯量は水位検出用圧力スイッチや水量計で検出する。浴槽内湯量が所定の湯量になると、お湯張り電磁弁１９は「閉」となり、また循環ポンプ６は停止状態となり、追い焚き出湯口２２からの出湯が停止される。
【０００４】
次に浴槽洗浄動作について説明する。浴槽自動洗浄動作においては、まず浴槽２内の水を排水する。この排水は、吸引管２５、循環吸水部２４、循環吸水管５、循環ポンプ６、水抜き管５ａ、排水弁７、排水管８を介して行われる。この後、浴槽２内に洗剤を投入し、お湯張り電磁弁１９を開き所定量の水を給水し、浴槽２内に洗浄水を溜める。次に、洗浄水を循環ポンプ６で循環させる。この循環は、吸引管２５、循環吸水部２４、循環吸水管５、循環ポンプ６、熱交送水管９、熱交換器１０、出湯管１２、三方弁１５、洗浄出水管１３、洗浄ノズル２３という循環である。次に、洗浄水を排水するが、これは前述した排水と同じようにして排水管８から排水する。その後、すすぎ水をお湯張り電磁弁１９を開き給水し、循環すすぎを上記循環により行い、さらにすすぎ水を給水し、さらに循環すすぎを行い、これを所定回数繰り返す。
【０００５】
このような給湯器においては操作者は、浴槽自動洗浄を指示した後に浴槽自動お湯張りを指示する場合もあれば、浴槽自動お湯張りを指示した後に浴槽自動洗浄を指示する場合もある。浴槽自動洗浄を指示した直後に浴槽自動お湯張りを指示した場合は、制御部４Ａは、浴槽自動洗浄を行った後に浴槽自動お湯張りを行うので、特に問題は生じない。しかし、浴槽自動お湯張りを指示した直後に浴槽自動洗浄を指示した場合は、制御部４Ａは、浴槽自動お湯張りを行った後に直ちに浴槽自動洗浄を行うこととなり、浴槽自動お湯張りの動作やお湯が無駄になるという不具合がある。このため、従来の給湯器では、特開平１０−２６７４０１号公報に開示されているように、操作者が浴槽自動お湯張りを指示した後に浴槽自動洗浄を指示した場合は給湯器を動作させないようにしていた。
【０００６】
【発明が解決しようとする課題】
このように、上記従来の給湯器では、リモートコントローラ３から浴槽自動お湯張りを指示した直後に浴槽自動洗浄を指示した場合は、制御部４Ａは、浴槽自動お湯張りを行った後に直ちに浴槽自動洗浄を行うこととなるので、浴槽自動お湯張りの動作やお湯が無駄になるという問題点を有していた。
また、浴槽自動お湯張りを指示した後に浴槽自動洗浄を指示した場合に給湯器を動作させないため、操作者が間違って浴槽自動お湯張りを指示した後に浴槽自動洗浄を指示し、すぐにその場を離れた場合、給湯器の停止に気付かず、また再度指示を選択する必要性があり、取扱性に欠けるという問題点を有していた。
この給湯器および浴槽お湯張り洗浄方法では、浴槽自動お湯張りを指示した直後に浴槽自動洗浄を指示した場合であっても、浴槽自動洗浄を行った後に浴槽自動お湯張りを行うことが要求されている。
【０００７】
本発明は、浴槽自動お湯張りを指示した後に浴槽自動洗浄を指示した場合であっても、浴槽自動洗浄を行った後に浴槽自動お湯張りを行うことができる給湯器、および、浴槽自動お湯張りを指示した後に浴槽自動洗浄を指示した場合であっても、浴槽自動洗浄を行った後に浴槽自動お湯張りを行うための浴槽お湯張り洗浄方法を提供することを目的とする。
【０００８】
【課題を解決するための手段】
この課題を解決するために本発明の給湯器は、浴槽自動洗浄機能と浴槽自動お湯張り機能とを有し、浴槽自動お湯張りを指示するお湯張りスイッチと浴槽自動洗浄を指示する洗浄スイッチとを有するリモートコントローラと、リモートコントローラからの信号を入力して信号内容を認識するリモコン入力認識部と制御部とを有する給湯器本体とを備えた給湯器であって、制御部は、待機時間を固定的に設定すると共に浴槽自動お湯張りの指示後の経過時間である指示後経過時間を計測するタイマ制御手段と、リモートコントローラからの指示の内容を判定すると共に指示後経過時間が待機時間を越えているか否かをタイマ制御手段の計測結果に基づいて判定するリモコン入力判定手段と、指示後経過時間が待機時間内でかつリモートコントローラからの指示の内容に浴槽自動洗浄が含まれていたとリモコン入力判定手段が判定した場合にはリモコン入力判定手段からの指示に基づいて洗浄処理を行う洗浄制御手段と、指示後経過時間が待機時間を越えたとリモコン入力判定手段が判定した場合またはリモートコントローラから浴槽自動お湯張りの指示があったと洗浄処理後にリモコン入力判定手段が判定した場合にはリモコン入力判定手段からの指示に基づいてお湯張り処理を行うお湯張り制御手段とを有する構成を備えている。
これにより、浴槽自動お湯張りを指示した後に浴槽自動洗浄を指示した場合であっても、浴槽自動洗浄を行った後に浴槽自動お湯張りを行うことができる給湯器が得られる。
【０００９】
この課題を解決するために本発明の浴槽お湯張り洗浄方法は、浴槽自動洗浄機能と浴槽自動お湯張り機能とを有し、浴槽自動洗浄指示と浴槽自動お湯張り指示とを行うリモートコントローラを備えた給湯器における浴槽お湯張り洗浄方法であって、待機時間を固定的に設定する初期化ステップと、リモートコントローラからの指示の内容が浴槽自動お湯張り指示か浴槽自動洗浄指示かを判定するリモコン入力判定ステップと、リモコン入力判定ステップにおいてリモートコントローラから浴槽自動お湯張りの指示があったと判定した場合に浴槽自動お湯張り指示からの経過時間である指示後経過時間を計測する計測ステップと、指示後経過時間が待機時間を越えているか否かを判定すると共に指示後経過時間が待機時間内である場合に浴槽自動洗浄指示があったか否かを判定する第１の判定ステップと、判定ステップで指示後経過時間が待機時間を越えず且つ浴槽自動洗浄指示があったと判定したときは洗浄処理を行う洗浄制御ステップと、洗浄処理後にリモートコントローラから浴槽自動お湯張りの指示があったか否かを判定する第２の判定ステップと、第１の判定ステップで指示後経過時間が待機時間を越えていると判定したとき又は第２の判定ステップでリモートコントローラから浴槽自動お湯張りの指示があったと洗浄処理後に判定したときはお湯張り処理を行うお湯張り制御ステップとを有する構成を備えている。
これにより、浴槽自動お湯張りを指示した後に浴槽自動洗浄を指示した場合であっても、浴槽自動洗浄を行った後に浴槽自動お湯張りを行うための浴槽お湯張り洗浄方法が得られる。
【００１０】
【発明の実施の形態】
本発明の請求項１に記載の給湯器は、浴槽自動洗浄機能と浴槽自動お湯張り機能とを有し、浴槽自動お湯張りを指示するお湯張りスイッチと浴槽自動洗浄を指示する洗浄スイッチとを有するリモートコントローラと、リモートコントローラからの信号を入力して信号内容を認識するリモコン入力認識部と制御部とを有する給湯器本体とを備えた給湯器であって、制御部は、待機時間を固定的に設定すると共に浴槽自動お湯張りの指示後の経過時間である指示後経過時間を計測するタイマ制御手段と、リモートコントローラからの指示の内容を判定すると共に指示後経過時間が待機時間を越えているか否かをタイマ制御手段の計測結果に基づいて判定するリモコン入力判定手段と、指示後経過時間が待機時間内でかつリモートコントローラからの指示の内容に浴槽自動洗浄が含まれていたとリモコン入力判定手段が判定した場合にはリモコン入力判定手段からの指示に基づいて洗浄処理を行う洗浄制御手段と、指示後経過時間が待機時間を越えたとリモコン入力判定手段が判定した場合またはリモートコントローラから浴槽自動お湯張りの指示があったと洗浄処理後にリモコン入力判定手段が判定した場合にはリモコン入力判定手段からの指示に基づいてお湯張り処理を行うお湯張り制御手段とを有することとしたものである。
この構成により、浴槽自動お湯張りを指示した後、指示後経過時間が待機時間を越えた場合には浴槽自動お湯張りが行われるが、指示後経過時間が待機時間内であるとき浴槽自動洗浄が指示された場合には浴槽自動お湯張りの前に浴槽自動洗浄が行われるという作用を有する。
【００１１】
請求項２に記載の浴槽お湯張り洗浄方法は、浴槽自動洗浄機能と浴槽自動お湯張り機能とを有し、浴槽自動洗浄指示と浴槽自動お湯張り指示とを行うリモートコントローラを備えた給湯器における浴槽お湯張り洗浄方法であって、待機時間を固定的に設定する初期化ステップと、リモートコントローラからの指示の内容が浴槽自動お湯張り指示か浴槽自動洗浄指示かを判定するリモコン入力判定ステップと、リモコン入力判定ステップにおいてリモートコントローラから浴槽自動お湯張りの指示があったと判定した場合に浴槽自動お湯張り指示からの経過時間である指示後経過時間を計測する計測ステップと、指示後経過時間が待機時間を越えているか否かを判定すると共に指示後経過時間が待機時間内である場合に浴槽自動洗浄指示があったか否かを判定する第１の判定ステップと、判定ステップで指示後経過時間が待機時間を越えず且つ浴槽自動洗浄指示があったと判定したときは洗浄処理を行う洗浄制御ステップと、洗浄処理後にリモートコントローラから浴槽自動お湯張りの指示があったか否かを判定する第２の判定ステップと、第１の判定ステップで指示後経過時間が待機時間を越えていると判定したとき又は第２の判定ステップでリモートコントローラから浴槽自動お湯張りの指示があったと洗浄処理後に判定したときはお湯張り処理を行うお湯張り制御ステップとを有することとしたものである。
この構成により、浴槽自動お湯張りを指示した後、指示後経過時間が待機時間を越えた場合には浴槽自動お湯張りが行われるが、指示後経過時間が待機時間内であるとき浴槽自動洗浄が指示された場合には浴槽自動お湯張りは行われず、浴槽自動洗浄が先に行われた後、浴槽自動お湯張りが行われるという作用を有する。
【００１２】
以下、本発明の実施の形態について図１〜図４を用いて説明する。
（実施の形態）
図１は本発明の実施の形態による給湯器を示す制御ブロック図である。
図１において、１は図４と同様の給湯器本体、１ａは図４と同様のリモコン入力認識部、３は図４と同様のリモートコントローラ、４は制御部である。すなわち、図４の制御部４Ａを制御部４に置き換えたものが本実施の形態による給湯器であり、本実施の形態による他の風呂システムの構成は図４と同様である。また、図１で、３１は運転開始と運転停止の指示を入力するための運転スイッチ、３２は浴槽自動洗浄の指示を入力するための洗浄スイッチ、３３は浴槽自動お湯張りの指示を入力するためのお湯張りスイッチ、４１はリモコン入力認識部１ａにおける認識結果および後述のタイマ制御手段４４における時間計測に基づいて種々の判定を行うリモコン入力判定手段、４２はリモコン入力判定手段４１での判定結果に基づいて浴槽自動お湯張り動作を行うお湯張り制御手段、４３はリモコン入力判定手段４１での判定結果に基づいて浴槽自動洗浄動作を行う洗浄制御手段、４４は時間設定、時間計測を行うタイマ制御手段である。なお、本実施の形態では各手段はソフトウェアで構成されるとするが、ハードウェアで構成しても同様の作用効果を奏する。
【００１３】
このように構成された給湯器における浴槽自動お湯張り動作および浴槽自動洗浄動作について、図２〜図４を用いて説明する。図２は制御部４におけるメインフロー（制御部４のメイン動作）を示すフローチャート、図３は制御部４におけるサブフロー（制御部４のサブ動作）としての浴槽お湯張り洗浄処理を示すフローチャートである。
まず図２に示すメインフローにおける動作について説明する。
運転スイッチ３１により運転開始が指示されると、給湯器が起動され、制御部４が動作を開始すると、初期設定として待機時間（例えば５秒）ＴＳがタイマ制御手段４４にセットされ（Ｓ１、初期化ステップ）、またお湯張りフラグＦＡと洗浄フラグＦＢが０にセットされる（Ｓ２、Ｓ３）。その後、Ａ処理（本実施の形態による給湯器動作とは直接には関係のない或る処理）が行われ（Ｓ４）、浴槽お湯張り洗浄処理が行われる（Ｓ５）。Ａ処理以降のすべての処理が行われると、ステップ４へ戻り、以下同様の動作を繰り返す。なお、待機時間ＴＳのセットは、リモコン入力判定手段４１からの指示に基づき、タイマ制御手段４４で行われる。また、タイマ制御手段４４にセットされる待機時間は以後変化しない固定値である。
【００１４】
次に、図２のステップ５の浴槽お湯張り洗浄処理について図３を用いて説明する。この浴槽お湯張り洗浄処理はリモートコントローラ３からの指示内容に応じて次の６つの場合に分けられる。
第１は、お湯張りスイッチ３３により浴槽自動お湯張りを指示してから所定時間（待機時間）内に洗浄スイッチ３２による浴槽自動洗浄を指示した場合であり、第２は、お湯張りスイッチ３３により浴槽自動お湯張りを指示してから所定時間（待機時間）を経過した後に洗浄スイッチ３２による浴槽自動洗浄を指示した場合である。また、第３は、お湯張りスイッチ３３による浴槽自動お湯張りと洗浄スイッチ３２による浴槽自動洗浄とを同時に指示した場合、第４は洗浄スイッチ３２による浴槽自動洗浄を指示した後にお湯張りスイッチ３３による浴槽自動お湯張りを指示した場合である。さらに、第５は、お湯張りスイッチ３３による浴槽自動お湯張りのみを指示した場合、第６は、洗浄スイッチ３２による浴槽自動洗浄のみを指示した場合である。
【００１５】
まず、お湯張りスイッチ３３により浴槽自動お湯張りを指示してから所定時間（待機時間）ＴＳ内に洗浄スイッチ３２による浴槽自動洗浄を指示した第１の場合について説明する。
図３において、リモコン入力判定手段４１は、リモコン入力認識部１ａからの信号に基づき、お湯張りスイッチ３３のオン信号（お湯張りスイッチ３３をオンとしたときに生じる信号）が入力されたか否かを判定する（Ｓ１１、リモコン入力判定ステップ）。お湯張りスイッチ３３のオン信号が入力されたと判定したときには、お湯張りスイッチ３３のオン信号が検出されてからの経過時間である指示後経過時間ＴＰのタイマ制御手段４４による計測を開始し（Ｓ１２）、所定お湯張りフラグＦＡ＝１とする（Ｓ１３）。なお、お湯張りスイッチ３３から入力されるオン信号はリモコン入力認識部１ａで自己保持されるが、ステップ１２、１３の処理の終了後はオン信号が解消され、オフ信号となる。そして、再度お湯張りスイッチ３３のオン信号が入力されると、そのオン信号は再びリモコン入力認識部１ａで自己保持される。このことは洗浄スイッチ３２、運転スイッチ３１も同様である。
次に、リモコン入力判定手段４１は、リモコン入力認識部１ａからの信号に基づき、洗浄スイッチ３２のオン信号が入力されたか否かを判定する（Ｓ１４、リモコン入力判定ステップ）。オン信号が入力されたと判定したときには、洗浄フラグＦＢ＝１とする（Ｓ１５）。
次に、リモコン入力判定手段４１は、お湯張りフラグＦＡが１か否かを判定する（Ｓ１６、リモコン入力判定ステップ）。第１の場合はお湯張りフラグＦＡ＝１となっているのでステップ１７へ移行し、上述の指示後経過時間ＴＰが待機時間（所定時間）ＴＳを越えているか否かを判定する（第１の判定ステップ）。指示後経過時間ＴＰは、リモコン入力判定ステップ４１の指示に基づき、タイマ制御手段４４において計測される（計測ステップ）。最初は指示後経過時間ＴＰは待機時間ＴＳを越えていないので、ステップ１８へ移行し、洗浄フラグＦＢが１か否かを判定する（第１の判定ステップ）。第１の場合、この時点では洗浄スイッチ３２による浴槽自動洗浄の指示がなされていないので、図示してない他の処理を経由してステップ４にリターンする（図２参照）。
図３の浴槽お湯張り洗浄処理を何回か繰り返す待機時間ＴＳ内に洗浄スイッチ３２をオンとする第１の場合、洗浄スイッチ３２がオンされステップ１８で洗浄フラグＦＢ＝１と判定されると、リモコン入力判定手段４１は洗浄制御手段４３に洗浄処理を指示する。この指示を受けて洗浄制御手段４３は洗浄処理を開始する（Ｓ１９、洗浄制御ステップ）。洗浄処理終了後はリモコン入力判定手段４１はフラグＦＢ＝０とする（Ｓ２０）。次に、リモコン入力判定手段４１はＦＡ＝１か否かを判定する（Ｓ２１、第２の判定ステップ）。第１の場合はＦＡ＝１であるので、ステップ２２へ移行する。ステップ２２のお湯張り処理が終了すると、各フラグＦＡ＝ＦＢ＝０とし（Ｓ２３）、指示後経過時間ＴＰ＝０として（Ｓ２４）、ステップ４へリターンする。これで第１の場合の処理を終了する。
【００１６】
次に、お湯張りスイッチ３３により浴槽自動お湯張りを指示してから所定時間（待機時間）ＴＳを経過した後に洗浄スイッチ３２による浴槽自動洗浄を指示した第２の場合について説明する。第２の場合において、ステップ１１〜１５は第１の場合と同様であるので、説明は省略する。
まず、リモコン入力判定手段４１は、お湯張りフラグＦＡが１か否かを判定する（Ｓ１６）。お湯張りスイッチ３３をオンとした場合はお湯張りフラグＦＡ＝１となっているのでステップ１７へ移行し、お湯張りスイッチ３３オンによる浴槽自動お湯張りの指示がリモコン入力判定手段４１に入力されてからの経過時間（指示後経過時間）ＴＰが待機時間（所定時間）ＴＳを越えているか否かを判定する。最初は指示後経過時間ＴＰは待機時間（例えば５秒）ＴＳを越えていないので、ステップ１８へ移行し、洗浄フラグＦＢが１か否かを判定する。この時点では洗浄スイッチ３２による浴槽自動洗浄の指示がなされていないので、ステップ４にリターンする（図２参照）。
図３の浴槽お湯張り洗浄処理を何回か繰り返すことにより指示後経過時間ＴＰが待機時間ＴＳを越えると（Ｓ１７）、リモコン入力判定手段４１はお湯張り制御手段４２にお湯張りを指示する。この指示を受けてお湯張り制御手段４２はお湯張り処理を開始する（Ｓ２２）。お湯張り処理終了後はリモコン入力判定手段４１は各フラグＦＡ＝ＦＢ＝０とし（Ｓ２３）、指示後経過時間ＴＰ＝０として（Ｓ２４）、ステップ４へリターンする。したがって、お湯張り処理を開始した後は洗浄スイッチ３３からの信号は受け付けないことになる。
ここで、図３の浴槽お湯張り洗浄処理を何回か繰り返す場合のステップ１１〜１５の動作について説明する。ステップ１１において、リモコン入力認識部１ａにおいてはお湯張りスイッチ３３のオン信号は解消されているので（前述したようにステップ１２、１３の処理が終了した後はお湯張りスイッチ３３のオン信号は解消される）、ステップ１１からステップ１４へ移行する。また、洗浄スイッチ３２はオン信号を出力していないので、ステップ１４からステップ１６へ移行する。ステップ１１〜１５では上記動作を繰り返す。
以上で、第２の場合の処理を終了する。なお、指示後経過時間ＴＰが待機時間ＴＳを越えた後に洗浄スイッチ３２による浴槽自動洗浄の指示がなされた場合は、第６の洗浄スイッチ３２のみがオンの場合と同様であるので、その説明は省略する。
【００１７】
次に、お湯張りスイッチ３３による浴槽自動お湯張りと洗浄スイッチ３２による浴槽自動洗浄とを同時に指示した第３の場合について説明する。第３の場合において、ステップ１１〜１５は第１の場合と同様であるので、説明は省略する。まず、リモコン入力判定手段４１は、お湯張りフラグＦＡが１か否かを判定する（Ｓ１６）。お湯張りスイッチ３３および洗浄スイッチ３２をオンとした場合はお湯張りフラグＦＡ＝１（またＦＢ＝１）となっているのでステップ１７へ移行し、指示後経過時間ＴＰが待機時間ＴＳを越えているか否かを判定する。最初は指示後経過時間ＴＰは待機時間（例えば５秒）ＴＳを越えていないので、ステップ１８へ移行し、洗浄フラグＦＢが１か否かを判定する。この時点で洗浄スイッチ３２による浴槽自動洗浄の指示がなされておりＦＢ＝１であるので、リモコン入力判定手段４１は洗浄制御手段４３に対して洗浄処理を行うように指示し、この指示を受けて洗浄制御手段４３は洗浄処理を開始する（Ｓ１９）。洗浄処理終了後はリモコン入力判定手段４１はフラグＦＢ＝０とする（Ｓ２０）。次に、リモコン入力判定手段４１はＦＡ＝１か否かを判定する（Ｓ２１）。第３の場合、ＦＡ＝１であるので、ステップ２２へ移行し、お湯張り処理が行われる。これ以後は第１の場合と同様であるので、その説明は省略する。
【００１８】
次に、洗浄スイッチ３２による浴槽自動洗浄を指示した後にお湯張りスイッチ３３による浴槽自動お湯張りを指示した第４の場合について説明する。第４の場合において、ステップ１１〜１５は第１の場合と同様であるので、説明は省略する。
まず、リモコン入力判定手段４１は、お湯張りフラグＦＡが１か否かを判定する（Ｓ１６）。ここではＦＢ＝１、ＦＡ＝０であるので、ステップ１８へ移行する。ステップ１８で、リモコン入力判定手段４１は、ＦＢ＝１であるので、洗浄処理を洗浄制御手段４３に指示し、洗浄制御手段４３は洗浄処理を行う（Ｓ１９）。洗浄処理終了後はリモコン入力判定手段４１はフラグＦＢ＝０とし（Ｓ２０）、次にＦＡ＝１か否かを判定する（Ｓ２１）。
ステップ２１でＦＡ＝１でないと判定された場合には、ステップ４へリターンする（図２参照）。ステップ４の処理等を経由してステップ５の浴槽お湯張り洗浄処理へ移行することにより、ステップ１６に移行すると、リモコン入力判定手段４１はＦＡ＝１か否かを判定する。ＦＡ＝０が維持されている場合、ステップ１８を経由してステップ４へリターンする動作を繰り返す。
次に、ステップ１６でＦＡ＝１と判定されると、ステップ１７へ移行する。ステップ１７で、指示後経過時間ＴＰが待機時間ＴＳを越えているか否かが判定され、越えていない場合、ステップ１８を経由してステップ４へリターンする動作を繰り返す。ステップ１７でＴＰ＞ＴＳと判定されると、ステップ２２のお湯張り処理へ移行する。これ以降の処理は第１の場合と同様であるので、その説明は省略する。これにより第４の場合の処理を終了する。
【００１９】
次に、お湯張りスイッチ３３による浴槽自動お湯張りのみを指示した第５の場合について説明する。なお、ステップ１１〜１５の動作は第１の場合と同様であり、その説明は省略する。
まず、リモコン入力判定手段４１は、お湯張りフラグＦＡが１か否かを判定する（Ｓ１７）。ここではＦＡ＝１、ＦＢ＝０であるので、ステップ１７から１８へ移行して、ステップ４へリターンする。これを繰り返すことによりＴＰ＞ＴＳとなると、ステップ２２のお湯張り処理へ移行する。ステップ２２で、お湯張り制御手段４２はお湯張り処理を開始する（Ｓ２２）。お湯張り処理終了後はリモコン入力判定手段４１は各フラグＦＡ＝ＦＢ＝０とし（Ｓ２３）、指示後経過時間ＴＰ＝０として（Ｓ２４）、ステップ４へリターンする。
最後に、洗浄スイッチ３２による浴槽自動洗浄のみを指示した第６の場合について説明する。なお、ステップ１１〜１５の動作は第１の場合と同様であり、その説明は省略する。
まず、リモコン入力判定手段４１は、お湯張りフラグＦＡが１か否かを判定する（Ｓ１７）。ここではＦＡ＝０、ＦＢ＝１であるので、ステップ１６から１８へ移行し、洗浄処理を開始する（Ｓ１９）。洗浄処理終了後はリモコン入力判定手段４１はフラグＦＢ＝０とし（Ｓ２０）、次にＦＡ＝０と判定し（Ｓ２１）、ステップ４へリターンする。
【００２０】
以上のように本実施の形態によれば、待機時間ＴＳを固定的に設定する初期化ステップ（Ｓ１）と、リモートコントローラ３からの指示の内容が浴槽自動お湯張り指示か浴槽自動洗浄指示かを判定するリモコン入力判定ステップ（Ｓ１１、Ｓ１４、Ｓ１６）と、リモコン入力判定ステップにおいてリモートコントローラから浴槽自動お湯張りの指示があったと判定した場合に浴槽自動お湯張り指示からの経過時間である指示後経過時間ＴＰを計測する計測ステップと、指示後経過時間ＴＰが待機時間ＴＳを越えているか否かを判定すると共に指示後経過時間ＴＰが待機時間内ＴＳである場合に浴槽自動洗浄指示があったか否かを判定する判定ステップ（Ｓ１７、Ｓ１８）と、判定ステップで指示後経過時間ＴＰが待機時間ＴＳを越えていると判定したときはお湯張り処理を行うお湯張り制御ステップと（Ｓ２２）、判定ステップで指示後経過時間ＴＰが待機時間ＴＳを越えず且つ浴槽自動洗浄指示があったと判定したときは洗浄処理を行う洗浄制御ステップ（Ｓ１９）とを有するようにしたことにより、自動お湯張り指示後に、指示後経過時間ＴＰが待機時間ＴＳを越えた場合には浴槽自動お湯張りが行われるが、指示後経過時間ＴＰが待機時間ＴＳ内であるとき浴槽自動洗浄が指示された場合には浴槽自動洗浄を先に行った後に浴槽自動お湯張りを行うようにすることができるので、浴槽自動お湯張りを指示した後に浴槽自動洗浄を指示した場合であっても、指示後経過時間ＴＰが待機時間ＴＳ内の浴槽自動洗浄の指示であれば、浴槽自動洗浄を行った後に浴槽自動お湯張りを行うことができる。
【００２１】
【発明の効果】
本発明の請求項１に記載の給湯器によれば、浴槽自動洗浄機能と浴槽自動お湯張り機能とを有し、浴槽自動お湯張りを指示するお湯張りスイッチと浴槽自動洗浄を指示する洗浄スイッチとを有するリモートコントローラと、リモートコントローラからの信号を入力して信号内容を認識するリモコン入力認識部と制御部とを有する給湯器本体とを備えた給湯器であって、制御部は、待機時間を固定的に設定すると共に浴槽自動お湯張りの指示後の経過時間である指示後経過時間を計測するタイマ制御手段と、リモートコントローラからの指示の内容を判定すると共に指示後経過時間が待機時間を越えているか否かをタイマ制御手段の計測結果に基づいて判定するリモコン入力判定手段と、指示後経過時間が待機時間内でかつリモートコントローラからの指示の内容に浴槽自動洗浄が含まれていたとリモコン入力判定手段が判定した場合にはリモコン入力判定手段からの指示に基づいて洗浄処理を行う洗浄制御手段と、指示後経過時間が待機時間を越えたとリモコン入力判定手段が判定した場合またはリモートコントローラから浴槽自動お湯張りの指示があったと洗浄処理後にリモコン入力判定手段が判定した場合にはリモコン入力判定手段からの指示に基づいてお湯張り処理を行うお湯張り制御手段とを有することにより、自動お湯張り指示後に浴槽自動洗浄の指示が行われることなく指示後経過時間が待機時間を越えた場合には浴槽自動お湯張りが行われるが、指示後経過時間が待機時間内であるとき浴槽自動洗浄が指示された場合には浴槽自動洗浄を先に行った後に浴槽自動お湯張りを行うようにすることができるので、浴槽自動お湯張りを指示した後に浴槽自動洗浄を指示した場合であっても、指示後経過時間が待機時間内の浴槽自動洗浄の指示であれば、浴槽自動洗浄を行った後に浴槽自動お湯張りを行うことができるという有利な効果が得られる。
【００２２】
請求項２に記載の浴槽お湯張り洗浄方法によれば、浴槽自動洗浄機能と浴槽自動お湯張り機能とを有し、浴槽自動洗浄指示と浴槽自動お湯張り指示とを行うリモートコントローラを備えた給湯器における浴槽お湯張り洗浄方法であって、待機時間を固定的に設定する初期化ステップと、リモートコントローラからの指示の内容が浴槽自動お湯張り指示か浴槽自動洗浄指示かを判定するリモコン入力判定ステップと、リモコン入力判定ステップにおいてリモートコントローラから浴槽自動お湯張りの指示があったと判定した場合に浴槽自動お湯張り指示からの経過時間である指示後経過時間を計測する計測ステップと、指示後経過時間が待機時間を越えているか否かを判定すると共に指示後経過時間が待機時間内である場合に浴槽自動洗浄指示があったか否かを判定する第１の判定ステップと、判定ステップで指示後経過時間が待機時間を越えず且つ浴槽自動洗浄指示があったと判定したときは洗浄処理を行う洗浄制御ステップと、洗浄処理後にリモートコントローラから浴槽自動お湯張りの指示があったか否かを判定する第２の判定ステップと、第１の判定ステップで指示後経過時間が待機時間を越えていると判定したとき又は第２の判定ステップでリモートコントローラから浴槽自動お湯張りの指示があったと洗浄処理後に判定したときはお湯張り処理を行うお湯張り制御ステップとを有することにより、自動お湯張り指示後に浴槽自動洗浄の指示が行われることなく指示後経過時間が待機時間を越えた場合には浴槽自動お湯張りが行われるが、指示後経過時間が待機時間内であるとき浴槽自動洗浄が指示された場合には浴槽自動洗浄を先に行った後に浴槽自動お湯張りを行うようにすることができるので、浴槽自動お湯張りを指示した後に浴槽自動洗浄を指示した場合であっても、指示後経過時間が待機時間内の浴槽自動洗浄の指示であれば、浴槽自動洗浄を行った後に浴槽自動お湯張りを行うことができるという有利な効果が得られる。
【図面の簡単な説明】
【図１】本発明の実施の形態による給湯器を示す制御ブロック図
【図２】図１の給湯器の制御部のメイン動作を示すフローチャート
【図３】図１の給湯器の制御部のサブ動作を示すフローチャート
【図４】従来の給湯器を有する風呂システムを示す構成図
【符号の説明】
１  給湯器本体
１ａ  リモコン入力認識部
２  浴槽
３  リモートコントローラ
４  制御部
５  循環吸水管
５ａ  水抜き管
５ｂ  吐出圧調整管
６  循環ポンプ
７  排水弁
７ａ、７ｂ、７ｃ、１５ａ、１５ｂ、１５ｃ  ポート
８  排水管
９  熱交送水管
１０  熱交換器
１１  バーナ
１２  出湯管
１３  洗浄出水管
１４  追焚用出水管
１５  三方弁
１６  給水管
１７  加熱管
１８  浴槽側給水管
１９  お湯張り電磁弁
２０  逆止弁
２１  蛇口
２２  追い焚き出湯口
２３  洗浄ノズル
２４  循環吸水部
２５  吸引管
３１  運転スイッチ
３２  洗浄スイッチ
３３  お湯張りスイッチ
４１  リモコン入力判定手段
４２  お湯張り制御手段
４３  洗浄制御手段
４４  タイマ制御手段
【図１】
0003930658.tif 000002
【図２】
0003930658.tif 000003
【図３】
0003930658.tif 000004
【図４】
0003930658.tif 000005